(57)【要約】  例えばドライブ、キャンプ、釣りなどのアウトドアの活動の際、あるいは地震等の災害発生時に用いる簡易トイレで、ペール缶上に設置される便座部分の構造が小さく、材料費を少なくして量産可能であり、簡易トイレを安価に供給する。不使用時に便座部分をペール缶内に収納し、携帯に便利なものとする。  簡易トイレは、便器本体を構成するペール缶１と、便収納用ポリ袋２と、左右に対向する一対の便座構成用左半体１１および同右半体２１とを備えている。これらの便座構成用左半体１１および同右半体２１の着座部１２，２２の下面に嵌合用凹溝１３，２３が幅手方向の中心線より若干外側にずれた位置に設けられ、各嵌合用凹溝１３，２３の内外側縁部に沿うように設けられた下方突出状の内外はずれ防止用凸部１４，１５，２４，２５のうち、内側はずれ防止用凸部１４，２４の高さが、外側はずれ防止用凸部１５，２５の高さよりも高いものとなされている。
2007097389.tif 000002
【特許請求の範囲】
【請求項１】
便器本体を構成するペール缶（１）と、ペール缶内にその大部分が収められる便収納用ポリ袋（２）と、ペール缶（１）の開口上縁部（３）に左右に対向して取り付けられる一対の合成樹脂製の便座構成用左半体（１１）および同右半体（２１）とを備えており、便座構成用左半体（１１）および同右半体（２１）が、ペール缶（１）の開口上縁部（３）に沿う平面よりみて円弧形をそれぞれ有しており、便座構成用左半体（１１）の着座部（１２）および同右半体（２１）の着座部（２２）の下面に、ペール缶（１）の開口上縁部（３）に沿う底面よりみて円弧形の嵌合用凹溝（１３）（２３）が、便座構成用左半体（１１）および同右半体（２１）のそれぞれ幅手方向の中心線より外側にずれた位置に設けられるとともに、各嵌合用凹溝（１３）（２３）の内側縁部および外側縁部にそれぞれ沿う下方突出状の内外はずれ防止用凸部（１４）（１５）（２４）（２５）が設けられ、内外はずれ防止用凸部（１４）（１５）（２４）（２５）のうち、内側はずれ防止用凸部（１４）（２４）の高さが、外側はずれ防止用凸部（１５）（２５）の高さよりも高いものとなされていることを特徴とする、簡易トイレ。
【請求項２】
便座構成用左半体（１１）の着座部（１２）および同右半体（２１）の着座部（２２）のペール缶内側の側縁部に、内方下向き凸部（１６）（２６）がそれぞれ設けられ、便座構成用左半体（１１）の着座部（１２）および同右半体（２１）の着座部（２２）のペール缶外側の側縁部に、外方下向き凸部（１７）（２７）がそれぞれ設けられていることを特徴とする、請求項１に記載の簡易トイレ。
【請求項３】
便器本体を構成するペール缶（１）と、ペール缶内にその大部分が収められる便収納用ポリ袋（２）と、ペール缶（１）の開口上縁部（３）に左右に対向して取り付けられる一対の合成樹脂製の便座構成用左半体（１１）および同右半体（２１）とを備えており、便座構成用左半体（１１）の着座部（１２）および同右半体（２１）の着座部（２２）が、それぞれ幅広となされるとともに、ペール缶（１）の開口上縁部（３）に沿う平面よりみて円弧形を有し、便座構成用左半体（１１）および同右半体（２１）の幅広の着座部（１２）（２２）のそれぞれ前後両端部に、先端に至るほど漸次幅狭となる前後延長部（１８）（１９）（２８）（２９）が設けられていて、便座構成用左半体（１１）および同右半体（２１）が、ペール缶（１）の開口上縁部（３）に沿う平面よりみて略半円形となされ、便座構成用左半体（１１）および同右半体（２１）の下面に、ペール缶（１）の開口上縁部（３）に沿う底面よりみて略半円形の嵌合用凹溝（１３）（２３）が、便座構成用左半体（１１）および同右半体（２１）の全長にわたって設けられ、これらの嵌合用凹溝（１３）（２３）が、便座構成用左半体（１１）および同右半体（２１）の幅広の着座部（１２）（２２）の下面において、便座構成用左半体（１１）および同右半体（２１）のそれぞれ幅手方向の中心線より外側にずれた位置に設けられるとともに、同嵌合用凹溝（１３）（２３）が、幅狭の前後延長部（１８）（１９）（２８）（２９）の下面において、それぞれ前後延長部（１８）（１９）（２８）（２９）の幅手方向の略中心線上の位置に設けられており、便座構成用左半体（１１）および同右半体（２１）の下面に、各嵌合用凹溝（１３）（２３）の内側縁部および外側縁部にそれぞれ沿う下方突出状の内外はずれ防止用凸部（１４）（１５）（２４）（２５）が便座構成用左半体（１１）および同右半体（２１）の全長にわたって設けられ、内外はずれ防止用凸部（１４）（１５）（２４）（２５）のうち、内側はずれ防止用凸部（１４）（２４）の高さが、外側はずれ防止用凸部（１５）（２５）の高さよりも高いものとなされていることを特徴とする、簡易トイレ。
【請求項４】
便座構成用左半体（１１）および同右半体（２１）の全長のうち少なくとも幅広の着座部（１２）（２２）のペール缶内側の側縁部に、内方下向き凸部（１６）（２６）がそれぞれ設けられ、便座構成用左半体（１１）および同右半体（２１）のペール缶外側の側縁部に外方下向き凸部（１７）（２７）が、それぞれ便座構成用左半体（１１）および同右半体（２１）の全長にわたって設けられていることを特徴とする、請求項３に記載の簡易トイレ。
【請求項５】
ペール缶（１）内にその大部分が収められた便収納用ポリ袋（２）の開口上端部（２ａ）がペール缶（１）の開口上縁部（３）に被せられ、この便収納用ポリ袋（２）の開口上端部（２ａ）が、便座構成用左半体（１１）および同右半体（２１）によって上から押え止められていることを特徴とする、請求項１〜４のうちのいずれか一項に記載の簡易トイレ。
【請求項６】
便器本体を構成するペール缶（１）と、ペール缶内にその大部分が収められる便収納用ポリ袋（２）と、ペール缶（１）の開口上縁部（３）に取り付けられる便座構成体（３０）とを備えており、便座構成体（３０）が、幅広の左側着座部（３１）および同幅広の右側着座部（３２）と、これらの着座部（３１）（３２）の同側の端部同士を連結する幅狭の連結部（３３）とによって構成されて、ペール缶（１）の開口上縁部（３）に沿う平面よりみて略Ｕ形となされており、略Ｕ形の便座構成体（３０）の下面の複数箇所に、下方突出状の内外はずれ防止用凸部（３５）（３６）がそれぞれ設けられるとともに、相互に対向する内外はずれ防止用凸部（３５）（３６）同士の間に、ペール缶（１）の開口上縁部（３）に部分的に沿う嵌合用凹溝（３４）がそれぞれ形成せられ、内外はずれ防止用凸部（３５）（３６）のうち、内側はずれ防止用凸部（３５）の高さが、外側はずれ防止用凸部（３６）の高さよりも高いものとなされていることを特徴とする、簡易トイレ。
【請求項７】
平面よりみて略Ｕ形の便座構成体（３０）の裏面の幅中央部より若干外側にずれた位置に、長手方向の第１補強リブ（４１）が略Ｕ形便座構成体（３０）の略全長にわたって設けられ、ポリ袋（２）の開口上端部（２ａ）をペール缶（１）の開口上端巻縁部（３）に被せ、さらに、略Ｕ形便座構成体（３０）をペール缶（１）の開口上端巻縁部（３）に、ポリ袋（２）の開口上端部（２ａ）の上から嵌め被せることにより、便座構成体（３０）下面の長手方向の第１補強リブ（４１）が、ポリ袋（２）の開口上端部（２ａ）を介してペール缶（１）の開口上端巻縁部（３）の上に、第１補強リブ（４１）の全長にわたって載せられて、ポリ袋（２）の開口上端部（２ａ）が便座構成体（３０）によって上から押さえ止められるようになされていることを特徴とする、簡易トイレ。
【請求項８】
平面よりみて略Ｕ形の便座構成体（３０）の下面の複数箇所に、内外はずれ防止用凸部（３５）（３６）がそれぞれ下方突出状に設けられ、内外はずれ防止用凸部（３５）（３６）のうち、内側はずれ防止用凸部（３５）の高さが、外側はずれ防止用凸部（３６）の高さよりも高いものとなされているとともに、相互に対向する内外はずれ防止用凸部（３５）（３６）同士の間に、長手方向の第１補強リブ（４１）が位置せしめられており、便座構成体（３０）下面の長手方向の第１補強リブ（４１）が、ポリ袋（２）の開口上端部（２ａ）を介してペール缶（１）の開口上端巻縁部（３）の上に、第１補強リブ（４１）の全長にわたって載せられた際、これらの内外はずれ防止用凸部（３５）（３６）のはずれ防止作用によって、便座構成体（３０）がペール缶（１）の開口上端巻縁部（３）より脱落するのを、阻止するようになされていることを特徴とする、請求項７に記載の簡易トイレ。
【請求項９】
平面よりみて略Ｕ形の便座構成体（３０）の下面の複数箇所に配置された内側はずれ防止用凸部（３５）と、略Ｕ形の便座構成体（３０）のペール缶内側の側縁部の内方下向き凸部（３７）との間に、それぞれ幅手方向の補強第２リブ（４２）が設けられ、外側はずれ防止用凸部（３６）と、略Ｕ形の便座構成体（３０）のペール缶外側の側縁部の外方下向き凸部（３８）との間に、それぞれ幅手方向の補強第３リブ（４３）が設けられ、さらに、内側はずれ防止用凸部（３５）と外側はずれ防止用凸部（３６）と間に、これら中間の長手方向第１補強リブ（４１）を横段するように、それぞれ幅手方向の補強第４リブ（４４）が設けられていることを特徴とする、請求項７または８に記載の簡易トイレ。
【請求項１０】
平面よりみて略Ｕ形の便座構成体（３０）の全長のうち少なくとも幅広の左側着座部（３１）および同幅広の右側着座部（３２）のペール缶内側の側縁部に、内方下向き凸部（３７）が設けられ、便座構成体（３０）のペール缶外側の側縁部に、外方下向き凸部（３８）が便座構成体（３０）の全長にわたって設けられていることを特徴とする、請求項６〜９のうちのいずれか一項に記載の簡易トイレ。
【請求項１１】
ペール缶（１）内にその大部分が収められた便収納用ポリ袋（２）の開口上端部（２ａ）がペール缶（１）の開口上縁部（３）に被せられ、この便収納用ポリ袋（２）の開口上端部（２ａ）が、平面よりみて略Ｕ形の便座構成体（３０）によって上から押え止められていることを特徴とする、請求項６〜１０のうちのいずれか一項に記載の簡易トイレ。
【発明の詳細な説明】
【技術分野】
【０００１】
本発明は、例えばドライブ、キャンプ、釣りなどのアウトドアの活動の際に、あるいは常設トイレが無い土木建築現場などにおいて、あるいはまた地震等の災害発生時に使用される簡易トイレに関するものである。
【背景技術】
【０００２】
一般に、例えばドライブ、キャンプ、釣りなどのアウトドアの活動の際、常設トイレが無い場所において、あるいは土木建築現場で常設トイレが設置されていない場所において、あるいはまた地震等の緊急災害発生時においては、簡易トイレで用便をすることが必要となるが、このような場合に使用する簡易トイレとして、従来、各種のものが既に知られている。【０００３】
中でも、とくにＪＩＳ規格に規定されるペール缶を利用したものは、ペール缶自体が、耐久強度、密封性能、寸法形状の統一性など、容器として極めて優れた特性を有するものであるところから、現在では、ペール缶利用の簡易トイレが多く使用されている。【０００４】
このようなペール缶を利用した簡易トイレに関わる特許文献には、従来、つぎのようなものがある。
【特許文献１】特開２００３−５２５７６号公報  特許文献１に開示されている簡易トイレは、まずペール缶の密封蓋を取り外して、ペール缶内に便袋をセットし、ついで便座のベース、便座部および便座蓋からなる便座を、このペール缶上にのせ、便座部の正面に備えられたねじをペール缶開口部のフランジ付近に螺締して、着脱自在に取付けてなるものであった。
【発明の開示】
【発明が解決しようとする課題】
【０００５】
上記特許文献１に記載の従来の簡易トイレによれば、確かに、ペール缶に、通常のトイレの便座と大差のない便座を着脱自在に設けたものであるため、だれでもが抵抗感無く使用できるというものではあるが、ペール缶上に設置される便座部分の構造が大きく、製造コストが比較的高くつくものであり、簡易トイレを安価に供給できないうえに、不使用時に便座部分をペール缶内に収納することができず、携帯に不便であるという問題があった。【０００６】
本発明の目的は、上記の従来技術の問題を解決し、ドライブ、キャンプ、釣りなどのアウトドアの活動の際に、あるいは土木建築現場において、あるいはまた地震等の災害発生時のような非常時に使用される簡易トイレについて、ペール缶上に設置される便座部分の構造が非常に小さく、このため、材料費を少なくして量産可能であり、便座部分の製造コストが非常に安くついて、簡易トイレを安価に供給することができるうえに、不使用時に便座部分をペール缶内に収納することができて、携帯に非常に便利である、簡易トイレを提供しようとすることにある。
【課題を解決するための手段】
【０００７】
上記の目的を達成するために、請求項１の簡易トイレの発明は、便器本体を構成するペール缶と、ペール缶内にその大部分が収められる便収納用ポリ袋と、ペール缶の開口上端部に左右に対向して取り付けられる一対の便座構成用左半体および同右半体とを備えており、便座構成用左半体および同右半体が、ペール缶の開口上縁部に沿う平面よりみて円弧形をそれぞれ有しており、便座構成用左半体の着座部および同右半体の着座部の下面に、ペール缶の開口上縁部に沿う底面よりみて円弧形の嵌合用凹溝が、便座構成用左半体および同右半体のそれぞれ幅手方向の中心線より外側にずれた位置に設けられるとともに、各嵌合用凹溝の内側縁部および外側縁部にそれぞれ沿う下方突出状の内外はずれ防止用凸部が設けられ、内外はずれ防止用凸部のうち、内側はずれ防止用凸部の高さが、外側はずれ防止用凸部の高さよりも高いものとなされていることを特徴としている。【０００８】
請求項２の簡易トイレの発明は、請求項１に記載の簡易トイレであって、便座構成用左半体の着座部および同右半体の着座部のペール缶内側の側縁部に、内方下向き凸部がそれぞれ設けられ、便座構成用左半体の着座部および同右半体の着座部のペール缶外側の側縁部に、外方下向き凸部がそれぞれ設けられていることを特徴としている。【０００９】
請求項３の簡易トイレの発明は、便器本体を構成するペール缶と、ペール缶内にその大部分が収められる便収納用ポリ袋と、ペール缶の開口上端部に左右に対向して取り付けられる一対の便座構成用左半体および同右半体とを備えており、便座構成用左半体の着座部および同右半体の着座部が、それぞれ幅広となされるとともに、ペール缶の開口上縁部に沿う平面よりみて円弧形を有し、便座構成用左半体および同右半体の幅広の着座部のそれぞれ前後両端部に、先端に至るほど漸次幅狭となる前後延長部が設けられていて、便座構成用左半体および同右半体が、ペール缶の開口上縁部に沿う平面よりみて略半円形となされ、便座構成用左半体および同右半体の下面に、ペール缶の開口上縁部に沿う底面よりみて略半円形の嵌合用凹溝が、便座構成用左半体および同右半体の全長にわたって設けられ、これらの嵌合用凹溝が、便座構成用左半体および同右半体の幅広の着座部の下面において、便座構成用左半体および同右半体のそれぞれ幅手方向の中心線より外側にずれた位置に設けられるとともに、同嵌合用凹溝が、幅狭の前後延長部の下面において、それぞれ前後延長部の幅手方向の略中心線上の位置に設けられており、便座構成用左半体および同右半体の下面に、各嵌合用凹溝の内側縁部および外側縁部にそれぞれ沿う下方突出状の内外はずれ防止用凸部が便座構成用左半体および同右半体の全長にわたって設けられ、内外はずれ防止用凸部のうち、内側はずれ防止用凸部の高さが、外側はずれ防止用凸部の高さよりも高いものとなされていることを特徴としている。【００１０】
請求項４の簡易トイレの発明は、請求項３に記載の簡易トイレであって、便座構成用左半体および同右半体の全長のうち少なくとも幅広の着座部のペール缶内側の側縁部に、内方下向き凸部がそれぞれ設けられ、便座構成用左半体および同右半体のペール缶外側の側縁部に外方下向き凸部が、それぞれ便座構成用左半体および同右半体の全長にわたって設けられていることを特徴としている。【００１１】
請求項５の簡易トイレの発明は、請求項１〜４のうちのいずれか一項に記載の簡易トイレであって、ペール缶内にその大部分が収められた便収納用ポリ袋の開口上端部がペール缶の開口上端部に被せられ、この便収納用ポリ袋の開口上端部が、便座構成用左半体および同右半体によって上から押え止められていることを特徴としている。【００１２】
請求項６の簡易トイレの発明は、便器本体を構成するペール缶と、ペール缶内にその大部分が収められる便収納用ポリ袋と、ペール缶の開口上端部に取り付けられる便座構成体とを備えており、便座構成体が、幅広の左側着座部および同幅広の右側着座部と、これらの着座部の同側の端部同士を連結する幅狭の連結部とによって構成されて、ペール缶の開口上縁部に沿う平面よりみて略Ｕ形となされており、略Ｕ形の便座構成体の下面の複数箇所に、下方突出状の内外はずれ防止用凸部がそれぞれ設けられるとともに、相互に対向する内外はずれ防止用凸部同士の間に、ペール缶の開口上縁部に部分的に沿う嵌合用凹溝がそれぞれ形成せられ、内外はずれ防止用凸部のうち、内側はずれ防止用凸部の高さが、外側はずれ防止用凸部の高さよりも高いものとなされていることを特徴としている。【００１３】
請求項７の簡易トイレの発明は、平面よりみて略Ｕ形の便座構成体の裏面の幅中央部より若干外側にずれた位置に、長手方向の第１補強リブが略Ｕ形便座構成体の略全長にわたって設けられ、ポリ袋の開口上端部をペール缶の開口上端巻縁部に被せ、さらに、略Ｕ形便座構成体をペール缶の開口上端巻縁部に、ポリ袋の開口上端部の上から嵌め被せることにより、便座構成体下面の長手方向の第１補強リブが、ポリ袋の開口上端部を介してペール缶の開口上端巻縁部の上に、第１補強リブの全長にわたって載せられて、ポリ袋の開口上端部が便座構成体によって上から押さえ止められるようになされていることを特徴としている。【００１４】
請求項８の簡易トイレの発明は、請求項７に記載の簡易トイレであって、平面よりみて略Ｕ形の便座構成体の下面の複数箇所に、内外はずれ防止用凸部がそれぞれ下方突出状に設けられ、内外はずれ防止用凸部のうち、内側はずれ防止用凸部の高さが、外側はずれ防止用凸部の高さよりも高いものとなされているとともに、相互に対向する内外はずれ防止用凸部同士の間に、長手方向の第１補強リブが位置せしめられており、便座構成体下面の長手方向の第１補強リブが、ポリ袋の開口上端部を介してペール缶の開口上端巻縁部の上に、第１補強リブの全長にわたって載せられた際、これらの内外はずれ防止用凸部のはずれ防止作用によって、便座構成体がペール缶の開口上端巻縁部より脱落するのを、阻止するようになされていることを特徴としている。【００１５】
請求項９の発明は、請求項７または８に記載の簡易トイレであって、平面よりみて略Ｕ形の便座構成体の下面の複数箇所に配置された内側はずれ防止用凸部と、略Ｕ形の便座構成体のペール缶内側の側縁部の内方下向き凸部との間に、それぞれ幅手方向の補強第２リブが設けられ、外側はずれ防止用凸部と、略Ｕ形の便座構成体のペール缶外側の側縁部の外方下向き凸部との間に、それぞれ幅手方向の補強第３リブが設けられ、さらに、内側はずれ防止用凸部と外側はずれ防止用凸部と間に、これら中間の長手方向第１補強リブを横段するように、それぞれ幅手方向の補強第４リブが設けられていることを特徴としている。【００１６】
請求項１０の発明は、請求項６〜９のうちのいずれか一項に記載の簡易トイレであって、平面よりみて略Ｕ形の便座構成体の全長のうち少なくとも幅広の左側着座部および同幅広の右側着座部のペール缶内側の側縁部に、内方下向き凸部が設けられ、便座構成体のペール缶外側の側縁部に、外方下向き凸部が便座構成体の全長にわたって設けられていることを特徴としている。【００１７】
請求項１１の簡易トイレの発明は、請求項６〜１０のうちのいずれか一項に記載の簡易トイレであって、ペール缶内にその大部分が収められた便収納用ポリ袋の開口上端部がペール缶の開口上端部に被せられ、この便収納用ポリ袋の開口上端部が、平面よりみて略Ｕ形の便座構成体によって上から押え止められていることを特徴としている。
【発明の効果】
【００１８】
請求項１の簡易トイレの発明は、便器本体を構成するペール缶と、ペール缶内にその大部分が収められる便収納用ポリ袋と、ペール缶の開口上端部に左右に対向して取り付けられる一対の便座構成用左半体および同右半体とを備えており、便座構成用左半体および同右半体が、ペール缶の開口上縁部に沿う平面よりみて円弧形をそれぞれ有しており、便座構成用左半体の着座部および同右半体の着座部の下面に、ペール缶の開口上縁部に沿う底面よりみて円弧形の嵌合用凹溝が、便座構成用左半体および同右半体のそれぞれ幅手方向の中心線より外側にずれた位置に設けられるとともに、各嵌合用凹溝の内側縁部および外側縁部にそれぞれ沿う下方突出状の内外はずれ防止用凸部が設けられ、内外はずれ防止用凸部のうち、内側はずれ防止用凸部の高さが、外側はずれ防止用凸部の高さよりも高いものとなされているもので、本発明の簡易トイレによれば、ペール缶上に設置される便座部分の構造が非常に小さく、このため、材料費を少なくして量産可能であり、便座部分の製造コストが非常に安くついて、簡易トイレを安価に供給することができるうえに、不使用時に便座部分、すなわち便座構成用左半体および同右半体をペール缶内に収納することができて、携帯に非常に便利であるという効果を奏する。【００１９】
また、便座構成用左半体の着座部および同右半体の着座部の下面に設けられた嵌合用凹溝が、便座構成用左半体および同右半体のそれぞれ幅手方向の中心線より外側にずれた位置に設けられているから、簡易トイレの使用時に、便座構成用左半体の着座部および同右半体の着座部に利用者が着座した場合、便座構成用左半体の着座部および右半体の着座部が、いわゆる回転モーメントにより、ペール缶の内側に入り込むように作用力がかゝるが、各嵌合用凹溝の内側縁部および外側縁部にそれぞれ沿う下方突出状の内外はずれ防止用凸部のうち、内側はずれ防止用凸部の高さが、外側はずれ防止用凸部の高さよりも高いものとなされているため、上記の回転モーメントによる作用力が、高い方の内側はずれ防止用凸部によって充分にペール缶内壁に受け止められ、従って、便座構成用左半体の着座部および同右半体の着座部がペール缶の内側に入り込むようなことが全くなく、利用者は、心地好く便座構成用左半体の着座部および同右半体の着座部に着座して、用を足すことができるという効果を奏する。【００２０】
また、ペール缶上に設置される便座部分すなわち便座構成用左半体および同右半体は、左右対称の形状・構造を有しているため、１つの金型により成形して製作した２つの便座構成体のうちの一方の便座構成体を、そのまま便座構成用左半体として使用し、他方の便座構成体を、その前後の向きを反対とすることにより、便座構成用右半体として使用することができるから、便座構成体の製作用金型が１つだけですみ、金型の製作コストが非常に安くついて、簡易トイレの製造コストを大幅に低減し得るという効果を奏する。【００２１】
請求項２の簡易トイレの発明は、請求項１に記載の簡易トイレであって、便座構成用左半体の着座部および同右半体の着座部のペール缶内側の側縁部に、内方下向き凸部がそれぞれ設けられているもので、本発明によれば、尻の接触する着座部部分が曲面を構成するため、より一層、座り心地が良いという効果を奏する。また、これら便座構成用左半体の着座部および同右半体の着座部のペール缶内側の側縁部に、内方下向き凸部がそれぞれ設けられることにより、簡易トイレの便座部すなわち便座構成用左半体および同右半体の強度が向上するという効果を奏する。【００２２】
また、便座構成用左半体の着座部および同右半体の着座部の便座構成用左半体の着座部および同右半体の着座部のペール缶外側の側縁部に、外方下向き凸部がそれぞれ設けられているから、用便後に、便座構成用左半体および同右半体をペール缶の開口上端部から取り外す際に、これらの外方下向き凸部に手の指を掛けて上方に持ち上げると、便座構成用左半体および同右半体を簡単に取り外すことができるという効果を奏する。さらに、これら便座構成用左半体の着座部および同右半体の着座部のペール缶外側の側縁部に外方下向き凸部がそれぞれ設けられることにより、簡易トイレの便座部すなわち便座構成用左半体および同右半体の強度が向上するという効果を奏する。【００２３】
請求項３の簡易トイレの発明は、便器本体を構成するペール缶と、ペール缶内にその大部分が収められる便収納用ポリ袋と、ペール缶の開口上端部に左右に対向して取り付けられる一対の便座構成用左半体および同右半体とを備えており、便座構成用左半体の着座部および同右半体の着座部が、それぞれ幅広となされるとともに、ペール缶の開口上縁部に沿う平面よりみて円弧形を有し、便座構成用左半体および同右半体の幅広の着座部のそれぞれ前後両端部に、先端に至るほど漸次幅狭となる前後延長部が設けられていて、便座構成用左半体および同右半体が、ペール缶の開口上縁部に沿う平面よりみて略半円形となされているもので、本発明の簡易トイレによれば、ペール缶上に設置される便座部分の構造が非常に小さく、このため、材料費を少なくして量産可能であり、便座部分の製造コストが非常に安くついて、簡易トイレを安価に供給することができるうえに、不使用時に便座部分、すなわち略半円形の便座構成用左半体および同右半体をペール缶内に収納することができて、携帯に非常に便利であるという効果を奏する。【００２４】
また、便座構成用左半体および同右半体の下面に、ペール缶の開口上縁部に沿う底面よりみて略半円形の嵌合用凹溝が、便座構成用左半体および同右半体の全長にわたって設けられ、これらの嵌合用凹溝が、便座構成用左半体および同右半体の幅広の着座部の下面において、便座構成用左半体および同右半体のそれぞれ幅手方向の中心線より外側にずれた位置に設けられ、便座構成用左半体および同右半体の下面に、各嵌合用凹溝の内側縁部および外側縁部にそれぞれ沿う下方突出状の内外はずれ防止用凸部が便座構成用左半体および同右半体の全長にわたって設けられているから、簡易トイレの使用時に、便座構成用左半体の着座部および同右半体の着座部に利用者が着座した場合、便座構成用左半体の着座部および右半体の着座部が、いわゆる回転モーメントにより、ペール缶の内側に入り込むように作用力がかゝるが、各嵌合用凹溝の内側縁部および外側縁部にそれぞれ沿う下方突出状の内外はずれ防止用凸部のうち、内側はずれ防止用凸部の高さが、外側はずれ防止用凸部の高さよりも高いものとなされているため、上記の回転モーメントによる作用力が、高い方の内側はずれ防止用凸部によって充分にペール缶内壁に受け止められ、従って、便座構成用左半体の着座部および同右半体の着座部がペール缶の内側に入り込むようなことが全くなく、利用者は、心地好く便座構成用左半体の着座部および同右半体の着座部に着座して、用を足すことができるという効果を奏する。【００２５】
さらに、便座構成用左半体および同右半体の幅広の着座部に対して、これらの前後延長部は、先端に至るほど漸次幅狭となされており、かつ嵌合用凹溝が、幅狭の前後延長部の下面において、それぞれ前後延長部の幅手方向の略中心線上の位置に設けられているので、便座構成用左半体および同右半体の前後延長部の材料の使用量が非常に少なくてすみ、材料費を少なくすることができて、便座部分の製造コストが非常に安くつき、簡易トイレを安価に供給することができるという効果を奏する。【００２６】
請求項４の簡易トイレの発明は、請求項３に記載の簡易トイレであって、便座構成用左半体および同右半体の全長のうち少なくとも幅広の着座部のペール缶内側の側縁部に、内方下向き凸部がそれぞれ設けられているもので、本発明によれば、尻の接触する着座部部分が曲面を構成するため、より一層、座り心地が良いという効果を奏する。【００２７】
また、便座構成用左半体および同右半体の全長のうち少なくとも幅広の着座部のペール缶内側の側縁部に、内方下向き凸部がそれぞれ設けられることにより、簡易トイレの便座部すなわち便座構成用左半体および同右半体の強度が向上するという効果を奏する。【００２８】
さらに、便座構成用左半体および同右半体のペール缶外側の側縁部に、外方下向き凸部がそれぞれ便座構成用左半体および同右半体の全長にわたって設けられているから、用便後に、便座構成用左半体および同右半体をペール缶の開口上端部から取り外す際に、これらの外方下向き凸部に手の指を掛けて上方に持ち上げると、便座構成用左半体および同右半体を簡単に取り外すことができるという効果を奏する。また、これら便座構成用左半体および同右半体のペール缶外側の側縁部に外方下向き凸部がそれぞれ設けられることにより、簡易トイレの便座部すなわち便座構成用左半体および同右半体の強度が向上するという効果を奏する。【００２９】
請求項５の簡易トイレの発明は、請求項１〜４のうちのいずれか一項に記載の簡易トイレであって、ペール缶内にその大部分が収められた便収納用ポリ袋の開口上端部がペール缶の開口上端部に被せられ、この便収納用ポリ袋の開口上端部が、便座構成用左半体および同右半体によって上から押え止められているから、便収納用ポリ袋の開口上端部を、便座構成用左半体および同右半体によってペール缶の略全周にわたって、上からしっかりとペール缶の開口上端部に押え止めることができ、従って、簡易トイレの使用時に、ポリ袋がペール缶内に落ち込んだりするといったトラブルの発生が全くないという効果を奏する。【００３０】
請求項６の簡易トイレの発明は、便器本体を構成するペール缶と、ペール缶内にその大部分が収められる便収納用ポリ袋と、ペール缶の開口上端部に取り付けられる便座構成体とを備えており、便座構成体が、幅広の左側着座部および同幅広の右側着座部と、これらの着座部の同側の端部同士を連結する幅狭の連結部とによって構成されて、ペール缶の開口上縁部に平面よりみて沿う略Ｕ形となされているもので、本発明の簡易トイレによれば、ペール缶上に設置される便座部分の構造が非常に小さく、このため、材料費を少なくして量産可能であり、便座部分の製造コストが非常に安くついて、簡易トイレを安価に供給することができるうえに、不使用時に便座部分、すなわち略Ｕ形の便座構成体をペール缶内に収納することができて、携帯に非常に便利であるという効果を奏する。【００３１】
さらに、略Ｕ形の便座構成体の下面の複数箇所に、下方突出状の内外はずれ防止用凸部がそれぞれ設けられるとともに、相互に対向する内外はずれ防止用凸部同士の間に、ペール缶の開口上縁部に部分的に沿う嵌合用凹溝がそれぞれ形成せられ、内外はずれ防止用凸部のうち、内側はずれ防止用凸部の高さが、外側はずれ防止用凸部の高さよりも高いものとなされているもので、本発明によれば、簡易トイレの使用時に、便座構成体の幅広の左側着座部および同右側着座部に利用者が着座した場合、便座構成体の左側着座部および同右側着座部が、いわゆる回転モーメントにより、ペール缶の内側に入り込むように作用力がかゝるが、嵌合用凹溝の内側縁部および外側縁部にそれぞれ沿う下方突出状の内外はずれ防止用凸部のうち、内側はずれ防止用凸部の高さが、外側はずれ防止用凸部の高さよりも高いものとなされているため、上記の回転モーメントによる作用力が、高い方の内側はずれ防止用凸部によって充分にペール缶内壁に受け止められ、従って、便座構成体の左側着座部および同右側着座部がペール缶の内側に入り込むようなことが全くなく、利用者は、心地好く便座構成体の左側着座部および同右側着座部に着座して、用を足すことができるという効果を奏する。【００３２】
また、便座構成体の幅広の左側着座部および同幅広の右側着座部に対して、これらの着座部の同側の端部同士を連結する連結部が幅狭となされているので、便座構成体の連結部の材料の使用量が非常に少なくてすみ、材料費を少なくすることができて、便座部分の製造コストが非常に安くつき、簡易トイレを安価に供給することができるという効果を奏する。【００３３】
請求項７の簡易トイレの発明は、平面よりみて略Ｕ形の便座構成体の裏面の幅中央部より若干外側にずれた位置に、長手方向の第１補強リブが略Ｕ形便座構成体の略全長にわたって設けられ、ポリ袋の開口上端部をペール缶の開口上端巻縁部に被せ、さらに、略Ｕ形便座構成体をペール缶の開口上端巻縁部に、ポリ袋の開口上端部の上から嵌め被せることにより、便座構成体下面の長手方向の第１補強リブが、ポリ袋の開口上端部を介してペール缶の開口上端巻縁部の上に、第１補強リブの全長にわたって載せられて、ポリ袋の開口上端部が便座構成体によって上から押さえ止められるようになされているもので、本発明によれば、平面よりみて略Ｕ形の便座構成体が、長手方向の第１補強リブによって補強されて、充分な機械的強度を有するとともに、簡易トイレの使用時に、ポリ袋の開口上端部をペール缶の開口上端巻縁部に被せ、さらに、略Ｕ形便座構成体をペール缶の開口上端巻縁部に、ポリ袋の開口上端部の上から嵌め被せることにより、便座構成体下面の長手方向の第１補強リブが、ポリ袋の開口上端部を介してペール缶の開口上端巻縁部の上に、第１補強リブの全長にわたって載せられるから、略Ｕ形便座構成体がペール缶の開口上端巻縁部の上に、非常に安定に保持せられ、安定性に優れていて、簡易トイレの使用に便利であるうえに、長手方向の第１補強リブの存在により、略Ｕ形便座構成体が充分補強されるため、使用材料が少なくてすみ、簡易トイレの製造コストが安くつくという効果を奏する。【００３４】
請求項８の簡易トイレの発明は、請求項７に記載の簡易トイレであって、平面よりみて略Ｕ形の便座構成体の下面の複数箇所に、内外はずれ防止用凸部がそれぞれ下方突出状に設けられ、内外はずれ防止用凸部のうち、内側はずれ防止用凸部の高さが、外側はずれ防止用凸部の高さよりも高いものとなされているとともに、相互に対向する内外はずれ防止用凸部同士の間に、長手方向の第１補強リブが位置せしめられており、便座構成体下面の長手方向の第１補強リブが、ポリ袋の開口上端部を介してペール缶の開口上端巻縁部の上に、第１補強リブの全長にわたって載せられた際、これらの内外はずれ防止用凸部のはずれ防止作用によって、便座構成体がペール缶の開口上端巻縁部より脱落するのを、阻止するようになされているもので、本発明によれば、簡易トイレの使用時に、略Ｕ形の便座構成体の安定性に優れていて便利であるとともに、長手方向の第１補強リブの存在により、略Ｕ形便座構成体が充分補強されるため、使用材料が少なくてすみ、簡易トイレの製造コストが安くつくという効果を奏する。【００３５】
請求項９の発明は、請求項７または８に記載の簡易トイレであって、平面よりみて略Ｕ形の便座構成体の下面の複数箇所に配置された内側はずれ防止用凸部と、略Ｕ形の便座構成体のペール缶内側の側縁部の内方下向き凸部との間に、それぞれ幅手方向の補強第２リブが設けられ、外側はずれ防止用凸部と、略Ｕ形の便座構成体のペール缶外側の側縁部の外方下向き凸部との間に、それぞれ幅手方向の補強第３リブが設けられ、さらに、内側はずれ防止用凸部と外側はずれ防止用凸部と間に、これら中間の長手方向第１補強リブを横段するように、それぞれ幅手方向の補強第４リブが設けられているもので、本発明によれば、簡易トイレの使用時に、略Ｕ形の便座構成体の安定性に優れていて便利であるとともに、長手方向の第１補強リブに加えて、幅手方向の補強第２リブ、幅手方向の補強第３リブ、さらには幅手方向の補強第４リブの存在により、略Ｕ形便座構成体が充分補強されるため、使用材料が少なくてすみ、簡易トイレの製造コストが安くつくという効果を奏する。【００３６】
請求項１０の発明は、請求項６〜９のうちのいずれか一項に記載の簡易トイレであって、平面よりみて略Ｕ形の便座構成体の全長のうち少なくとも幅広の左側着座部および同幅広の右側着座部のペール缶内側の側縁部に、内方下向き凸部が設けられているもので、本発明によれば、尻の接触する幅広の左側着座部および同幅広の右側着座部の部分が曲面を構成するため、より一層、座り心地が良いという効果を奏する。また、これら幅広の左側着座部および同幅広の右側着座部のペール缶内側の側縁部に、内方下向き凸部がそれぞれ設けられることにより、簡易トイレの便座構成体の強度が向上するという効果を奏する。【００３７】
さらに、便座構成体のペール缶外側の側縁部に、外方下向き凸部が便座構成体の全長にわたって設けられているもので、本発明によれば、用便後に、平面よりみて略Ｕ形の便座構成体をペール缶の開口上端部から取り外す際に、この外方下向き凸部に手の指を掛けて上方に持ち上げると、便座構成体を簡単に取り外すことができるという効果を奏する。また、便座構成体のペール缶外側の側縁部に外方下向き凸部が設けられることにより、簡易トイレの便座部すなわち便座構成体の強度が向上するという効果を奏する。【００３８】
請求項１１の簡易トイレの発明は、請求項６〜１０のうちのいずれか一項にに記載の簡易トイレであって、ペール缶内にその大部分が収められた便収納用ポリ袋の開口上端部がペール缶の開口上端部に被せられ、この便収納用ポリ袋の開口上端部が、平面よりみて略Ｕ形の便座構成体によって上から押え止められているもので、本発明によれば、便収納用ポリ袋の開口上端部を、略Ｕ形の便座構成体によって上からしっかりとペール缶の開口上端部に押え止めることができ、従って、簡易トイレの使用時に、ポリ袋がペール缶内に落ち込んだりするといったトラブルの発生が全くないという効果を奏する。
【図面の簡単な説明】
【００３９】
【図１】図１は、本発明の第１実施形態の簡易トイレを示す斜視図である。
【図２】図２は、同平面図である。
【図３】図３は、同一部切欠き正面図である。
【図４】図４は、図２のＡーＡ線に沿う拡大断面図である。
【図５】図５は、本発明の１実施形態の簡易トイレの使用状態を示す背面図である。
【図６】図６は、本発明の第２実施形態の簡易トイレを示す斜視図である。
【図７】図７は、同平面図である。
【図８】図８は、同一部切欠き正面図である。
【図９】図９は、図７のＢーＢ線に沿う拡大断面図である。
【図１０】図１０は、図９のＣーＣ線に沿う拡大断面図である。
【図１１】図１１は、本発明の第３実施形態の簡易トイレの合成樹脂製便座構成体の下方から見た斜視図である。
【図１２】図１２は、同便座構成体の下方から見た斜視図で、ペール缶の一部が示されている。
【図１３】図１３は、本発明の第３実施形態の簡易トイレを示す要部拡大断面図で、これは、第２実施形態の図９に対応するものである。
【図１４】図１４は、図１１の便座構成体の要部拡大底面図である。
【図１５】図１５は、図１１の便座構成体の下方から見た要部拡大斜視図である。
【図１６】図１６は、本発明の第４実施形態の簡易トイレを示す斜視図である。
【図１７】図１７は、同平面図である。
【図１８】図１８は、同一部切欠き正面図である。
【図１９】図１９は、図１７のＤーＤ線に沿う拡大断面図である。
【図２０】図２０は、図１７のＥーＥ線に沿う拡大断面図である。
【図２１】図２１は、図２０のＦーＦ線に沿う拡大断面図である。
【符号の説明】
【００４０】
１  ペール缶
２  便収納用ポリ袋
２ａ  開口上端部
３  開口上端巻縁部（開口上端部）
４  把手
５  目隠し用のカッパ
６  フード
Ｍ  利用者
１１  便座構成用左半体
１２  幅広の着座部
１３  嵌合用凹溝
１４  内側はずれ防止用凸部
１５  外側はずれ防止用凸部
１６  内方下向き凸部
１７  外方下向き凸部
１８  前側延長部
１９  後側延長部
２１  便座構成用右半体
２２  幅広の着座部
２３  嵌合用凹溝
３４  内側はずれ防止用凸部
２５  外側はずれ防止用凸部
２６  内方下向き凸部
２７  外方下向き凸部
２８  前側延長部
２９  後側延長部
３０  平面よりみて略Ｕ形の便座構成体
３１  幅広の左側着座部
３２  幅広の右側着座部
３３  幅狭の連結部
３４  嵌合用凹溝
３５  内側はずれ防止用凸部
３６  外側はずれ防止用凸部
３７  内方下向き凸部
３８  外方下向き凸部
４０  切欠き部
４１  長手方向の第１補強リブ
４２  幅手方向の第２補強リブ
４３  幅手方向の第３補強リブ
４４  幅手方向の第４補強リブ
４５  幅手方向の第５補強リブ
【発明を実施するための最良の形態】
【００４１】
つぎに、本発明の実施の形態を、図面を参照して説明するが、本発明は、これらに限定されるものではない。【００４２】
図１〜図５は、本発明による簡易トイレの第１実施形態を示すもので、請求項１と２、および請求項５に対応している。【００４３】
まず、図１〜図４を参照すると、本発明による簡易トイレは、便器本体を構成するステンレス鋼製のペール缶（１）と、ペール缶（１）内にその大部分が収められる便収納用ポリ袋（２）と、ペール缶（１）の開口上端巻縁部（３）に左右に対向して取り付けられる一対の合成樹脂製の便座構成用左半体（１１）および同右半体（２１）とを備えている。ペール缶（１）には、把手（４）が設けられている。【００４４】
そして、便座構成用左半体（１１）および同右半体（２１）が、ペール缶（１）の開口上端巻縁部（３）に沿う平面よりみて円弧形をそれぞれ有している。便座構成用左半体（１１）の着座部（１２）および同右半体（２１）の着座部（２２）の下面に、ペール缶（１）の開口上端巻縁部（３）に沿う底面よりみて円弧形の嵌合用凹溝（１３）（２３）が、便座構成用左半体（１１）および同右半体（２１）のそれぞれ幅手方向の中心線より外側にずれた位置に設けられるとともに、各嵌合用凹溝（１３）（２３）の内側縁部および外側縁部にそれぞれ沿う下方突出状の内外はずれ防止用凸部（１４）（１５）（２４）（２５）が設けられ、内外はずれ防止用凸部（１４）（１５）（２４）（２５）のうち、内側はずれ防止用凸部（１４）（２４）の高さが、外側はずれ防止用凸部（１５）（２５）の高さよりも高いものとなされている。【００４５】
便座構成用左半体（１１）の着座部（１２）および同右半体（２１）の着座部（２２）のペール缶内側の側縁部には、内方下向き凸部（１６）（２６）がそれぞれ設けられ、便座構成用左半体（１１）の着座部（１２）および同右半体（２１）の着座部（２２）のペール缶外側の側縁部には、外方下向き凸部（１７）（２７）がそれぞれ設けられている。【００４６】
また、ペール缶（１）内にその大部分が収められた便収納用ポリ袋（２）の開口上端部（２ａ）がペール缶（１）の開口上端巻縁部（３）に被せられ、この便収納用ポリ袋（２）の開口上端部（２ａ）が便座構成用左半体（１１）および同右半体（２１）によって上から押え止められている。【００４７】
ここでまず、本発明の簡易トイレを不使用時に携帯する場合には、便器本体を構成するペール缶（１）の中に、取り外した便座構成用左半体（１１）および同右半体（２１）、折り畳んだ複数枚の便収納用ポリ袋（２）、所要数個のトイレットペーパー等を入れておき、ペール缶（１）の開口上端巻縁部（３）にペール缶蓋（図示略）を被せ止めて、密閉しておく。ペール缶（１）の中には、その他、例えばドライブ、キャンプ、釣りなどのアウトドアの活動の際には、それに必要な物品をあわせて収納したり、あるいはまた地震等の災害発生時に備える場合には、その他の生活必需品を収納しておくことができる。簡易トイレのペール缶（１）には、把手（４）が設けられており、この把手（４）を持つことよって、本発明の簡易トイレを簡単に携行することができる。【００４８】
そして、本発明の簡易トイレを使用する場合は、ペール缶（１）の蓋（図示略）を取り外して、ペール缶（１）内より収納物を取り出す。そして、１枚の便収納用ポリ袋（２）を拡げて、空になったペール缶（１）内に、ポリ袋（２）の大部分を収めるとともに、ポリ袋（２）の開口上端部（２ａ）をペール缶（１）の開口上端巻縁部（３）に被せる。【００４９】
ついで、便座構成用左半体（１１）および同右半体（２１）をペール缶（１）の開口上端巻縁部（３）に、これらが互いに対向する位置に配されるように、ポリ袋（２）の開口上端部（２ａ）の上から嵌め被せて、これらの下面の嵌合用凹溝（１３）（２３）に、ポリ袋（２）の開口上端部（２ａ）およびペール缶（１）の開口上端巻縁部（３）を嵌め入れる。【００５０】
これにより、便収納用ポリ袋（２）の開口上端部（２ａ）は、ペール缶（１）の開口上端巻縁部（３）に便座構成用左半体（１１）および同右半体（２１）によって上から押え止められ、セットが完了する。【００５１】
この状態で、例えば図５に示すように、利用者（Ｍ）は、セットされた簡易トイレの便座構成用左半体（１１）の着座部（１２）および同右半体（２１）の着座部（２２）に着座して、用を足すことができる。【００５２】
ここで、本発明による簡易トイレでは、便座構成用左半体（１１）および同右半体（２１）が、ペール缶（１）の開口上端巻縁部（３）に沿う平面よりみて円弧形をそれぞれ有しており、便座構成用左半体（１１）の着座部（１２）および同右半体（２１）の着座部（２２）の下面に、ペール缶（１）の開口上端巻縁部（３）に沿う底面よりみて円弧形の嵌合用凹溝（１３）（２３）が、便座構成用左半体（１１）および同右半体（２１）のそれぞれ幅手方向の中心線より外側にずれた位置に設けられている。【００５３】
従って、簡易トイレの使用時に、便座構成用左半体（１１）の着座部（１２）および同右半体（２１）の着座部（２２）に利用者（Ｍ）が着座した場合、便座構成用左半体（１１）の着座部（１２）および同右半体（２１）の着座部（２２）が、いわゆる回転モーメントにより、ペール缶（１）の内側に入り込むように作用力がかゝるが、便座構成用左半体（１１）および同右半体（２１）の各嵌合用凹溝（１３）（２３）の内側縁部および外側縁部にそれぞれ沿う下方突出状の内外はずれ防止用凸部（１４）（１５）（２４）（２５）のうち、内側はずれ防止用凸部（１４）（２４）の高さが、外側はずれ防止用凸部（１５）（２５）の高さよりも高いものとなされているため、上記の回転モーメントによる作用力が、高い方の内側はずれ防止用凸部（１４）（２４）によって充分にペール缶（１）内壁に受け止められ、従って、便座構成用左半体（１１）の着座部（１２）および同右半体（２１）の着座部（２２）がペール缶（１）の内側に入り込むようなことが全くなく、利用者（Ｍ）は、心地好く便座構成用左半体（１１）の着座部（１２）および同右半体（２１）の着座部（２２）に着座して、用を足すことができる。【００５４】
また、本発明による簡易トイレの便座すなわち便座構成用左半体（１１）および同右半体（２１）の形状は、全体形状において通常の便座の形状と異なるが、尻の接触する部分はほとんど同じ形状であるので、便座としては、通常の便座と使用性能は変わらない。とくに、本発明による簡易トイレでは、便座構成用左半体（１１）の着座部（１２）および同右半体（２１）の着座部（２２）のペール缶内側の側縁部に、内方下向き凸部（１６）（２６）がそれぞれ設けられているため、尻の接触する着座部（１２）（２２）部分が曲面を構成するため、より一層、座り心地が良い。【００５５】
さらに、これら便座構成用左半体（１１）の着座部（１２）および同右半体（２１）の着座部（２２）のペール缶内側の側縁部に、内方下向き凸部（１６）（２６）がそれぞれ設けられることにより、簡易トイレの便座部すなわち便座構成用左半体（１１）および同右半体（２１）の強度が向上する。【００５６】
用便後は、本発明による簡易トイレの便座構成用左半体（１１）および同右半体（２１）をペール缶（１）の開口上端巻縁部（３）から取り外し、ついで、便収納用ポリ袋（２）の開口先端部をまるめて閉じ、この部分を例えば紐で縛って密閉して、ペール缶（１）より取り出し、所定の場所に廃棄するか、持ち帰って廃棄すれば良い。【００５７】
なお、本発明による簡易トイレの便座構成用左半体（１１）の着座部（１２）および同右半体（２１）の着座部（２２）のペール缶外側の側縁部には、外方下向き凸部（１７）（２７）がそれぞれ設けられているから、用便後に、便座構成用左半体（１１）および同右半体（２１）をペール缶（１）の開口上端巻縁部（３）から取り外す際に、これらの外方下向き凸部（１７）（２７）に手の指を掛けて上方に持ち上げると、便座構成用左半体（１１）および同右半体（２１）を簡単に取り外すことができる。【００５８】
また、これら便座構成用左半体（１１）の着座部（１２）および同右半体（２１）の着座部（２２）のペール缶外側の側縁部に外方下向き凸部（１７）（２７）がそれぞれ設けられることにより、簡易トイレの便座部すなわち便座構成用左半体（１１）および同右半体（２１）の強度が向上する。【００５９】
なお、便収納用ポリ袋（２）としては、生分解性樹脂によりつくられたものを使用するのが、好ましい。そうすることよって、便を収納したポリ袋（２）をそのまま土中に埋めることにより、これを肥料として利用することができる。【００６０】
また、便座すなわち便座構成用左半体（１１）および同右半体（２１）の材料としての合成樹脂には、各種のものを使用することができるが、同様に、生分解性樹脂によりつくられたものを使用するのが、好ましい。【００６１】
本発明の簡易トイレの使用の際には、例えば図５に示すように、利用者（Ｍ）は目隠し用のカッパ（５）を着用するのが、好ましい。目隠し用のカッパ（５）としては、利用者（Ｍ）の身体全体と、簡易トイレ部分を一体に覆うものが好ましく、さらに、利用者（Ｍ）の顔が見えないように、フード（６）付きカッパ（５）を用いるのが好ましい。【００６２】
本発明の簡易トイレによれば、ペール缶（１）上に設置される便座部分すなわち便座構成用左半体（１１）および同右半体（２１）の構造が非常に小さく、このため、材料費を少なくして量産可能であり、便座部分すなわち便座構成用左半体（１１）および同右半体（２１）の製造コストが非常に安くついて、簡易トイレを安価に供給することができるうえに、不使用時に便座部分、すなわち便座構成用左半体（１１）および同右半体（２１）をペール缶内に収納することができて、携帯に非常に便利である。【００６３】
また、ペール缶（１）上に設置される便座部分すなわち便座構成用左半体（１１）および同右半体（２１）は、左右対称の形状・構造を有しているため、１つの金型により成形して製作した２つの便座構成体のうちの一方の便座構成体を、そのまま便座構成用左半体（１１）として使用し、他方の便座構成体を、その前後の向きを反対とすることにより、便座構成用右半体（２１）として使用することができるから、便座構成体の製作用金型が１つだけですみ、金型の製作コストが非常に安くついて、簡易トイレの製造コストを大幅に低減し得るという利点がある。【００６４】
なお、上記の本発明の第１実施形態では、簡易トイレのペール缶（１）内にその大部分が収められた便収納用ポリ袋（２）の開口上端部（２ａ）がペール缶（１）の開口上端巻縁部（３）に被せられ、この便収納用ポリ袋（２）の開口上端部（２ａ）が便座構成用左半体（１１）および同右半体（２１）によって上から押え止められている場合について説明したが、本発明は、これに限定されるものではなく、その他、例えばペール缶（１）の開口上端巻縁部（３）に先に便座構成用左半体（１１）および同右半体（２１）をそれぞれ取り付けておき、その後、便収納用ポリ袋（２）を拡げて、その大部分をペール缶（１）内に収めるとともに、開かれた便収納用ポリ袋（２）の開口上端部（２ａ）をペール缶（１）の開口上端巻縁部（３）から上方に取り出して、このポリ袋（２）の開口上端部（２ａ）によって便座構成用左半体（１１）および同右半体（２１）を上から覆うようにしても良い。【００６５】
なお、この場合には、便収納用ポリ袋（２）の開口上端部（２ａ）の先端部を、例えば便座構成用左半体（１１）および同右半体（２１）の外側縁部より下方に折り返して、ピンチ等の固定具で仮止めしておくのが、好ましい。【００６６】
図６〜図１０は、本発明による簡易トイレの第２実施形態を示すもので、請求項６、請求項１０、及び請求項１１に対応している。ここで、上記第１実施形態の場合と異なる点は、合成樹脂製の便座構成体（３０）が、幅広の左側着座部（３１）と、同幅広の右側着座部（３２）と、これらの同側の端部同士を連結する幅狭の連結部（３３）とによって構成されていて、ペール缶（１）の開口上端巻縁部（３）に沿う平面よりみて略Ｕ形を有している点にある。【００６７】
便座構成体（３０）の幅広の左側着座部（３１）および同幅広の右側着座部（３２）は、上記第１実施形態の便座構成用左半体（１１）および同右半体（２１）とほゞ同様の形状であり、ペール缶（１）の開口上端巻縁部（３）に沿う平面よりみて略円弧形を有している。一方、便座構成体（３０）の幅狭の連結部（３３）は、幅広の左側着座部（３１）および同右側着座部（３２）の同側の端部に連なるように、ペール缶（１）の開口上端巻縁部（３）に沿う平面よりみて円弧形を有しており、全体として、便座構成体（３０）は、ペール缶（１）の開口上端巻縁部（３）に沿う平面よりみて略Ｕ形となされている。【００６８】
そして、平面よりみて略Ｕ形の便座構成体（３０）の下面３箇所に、すなわち、便座構成体（３０）の幅広の左側着座部（３１）および同右側着座部（３２）の下面、並びに幅狭の連結部（３３）の下面において、下方突出状の内外はずれ防止用凸部（３５）（３６）がそれぞれ設けられ、相互に対向する内外はずれ防止用凸部（３５）（３６）同士の間に、ペール缶（１）の開口上縁部（３）に部分的に沿う嵌合用凹溝（３４）がそれぞれ形成せられている。内外はずれ防止用凸部（３５）（３６）のうち、内側はずれ防止用凸部（３５）の高さが、外側はずれ防止用凸部（３６）の高さよりも高いものとなされている。【００６９】
ここで、嵌合用凹溝（３４）は、便座構成体（３０）の幅広の左側着座部（３１）および同右側着座部（３２）の下面において、これらの着座部（３１）（３２）のそれぞれ幅手方向の中心線より若干外側にずれた位置に設けられるとともに、同嵌合用凹溝（３４）が、幅狭の連結部（３３）の下面において、連結部（３３）の幅手方向の略中心線上の位置に設けられており、嵌合用凹溝（３４）は、ペール缶（１）の開口上縁部（３）に部分的に沿うものとなされている。【００７０】
なお、図示のものは、平面よりみて略Ｕ形の便座構成体（３０）の下面３箇所に内外はずれ防止用凸部（３５）（３６）が下方突出状に設けられているが、これら内外はずれ防止用凸部（３５）（３６）の組みとその中間の嵌合用凹溝（３４）とは、平面よりみて略Ｕ形の便座構成体（３０）下面の複数箇所に設けられておれば、良い。【００７１】
また、図示は省略したが、略Ｕ形の便座構成体（３０）の下面に、ペール缶（１）の開口上縁部（３）に沿う略Ｕ形の嵌合用凹溝（３４）が、便座構成体（３０）の全長にわたって設けられ、この嵌合用凹溝（３４）が、便座構成体（３０）の幅広の左側着座部（３１）および同右側着座部（３２）の下面において、これらの着座部（３１）（３２）のそれぞれ幅手方向の中心線より外側にずれた位置に設けられるとともに、同嵌合用凹溝（３４）が、幅狭の連結部（３３）の下面において、連結部（３３）の幅手方向の略中心線上の位置に設けられ、さらに、便座構成体（３０）の下面に、嵌合用凹溝（３４）の内側縁部および外側縁部に沿うように、底面よりみて略Ｕ形の内側はずれ防止用凸部（３５）及び同外側はずれ防止用凸部（３５）が、それぞれ便座構成体（３０）の略全長にわたって下方突出状に設けられていても良い。内外はずれ防止用凸部（３５）（３６）のうち、内側はずれ防止用凸部（３５）の高さは、外側はずれ防止用凸部（３６）の高さよりも高いものとなされている。【００７２】
この第２実施形態においては、平面よりみて略Ｕ形の便座構成体（３０）のペール缶内側の側縁部に、内方下向き凸部（３７）が便座構成体（３０）の略全長にわたって設けられ、便座構成体（３０）のペール缶外側の側縁部に、外方下向き凸部（３８）が便座構成体（３０）の全長にわたって設けられている。【００７３】
ここで、便座構成体（３０）の連結部（３３）の長手方向中央部においては、ペール缶外側の側縁部には、外方下向き凸部（３８）が設けられているが、連結部（３３）のペール缶内側の側縁部には、内方下向き凸部（３７）が設けられていない。これは、便座構成体（３０）の連結部（３３）には、利用者（Ｍ）が着座しないため、このような内方下向き凸部（３７）を設ける必要がないからである。従って、内方下向き凸部（３７）は、平面よりみて略Ｕ形の便座構成体（３０）の全長のうち少なくとも幅広の左側着座部（３１）および同幅広の右側着座部（３２）のペール缶内側の側縁部に設けられておれば、良い。【００７４】
ペール缶（１）内にその大部分が収められた便収納用ポリ袋（２）の開口上縁部（２ａ）は、ペール缶（１）の開口上端巻縁部（３）に被せられ、この便収納用ポリ袋（２）の開口上端部（２ａ）が、平面よりみて略Ｕ形の便座構成体（３０）によって上から押え止められている。【００７５】
なお、この第２実施形態の本発明の簡易トイレを不使用時に携帯する場合には、便器本体を構成するペール缶（１）の中に、取り外した便座構成体（３０）、折り畳んだ複数枚の便収納用ポリ袋（２）、所要数個のトイレットペーパー等を入れておき、ペール缶蓋（図示略）を被せ止めて、密閉しておく点は、上記第１実施形態の場合と同様であり、不使用時の収納に非常に便利である。【００７６】
そして、本発明の簡易トイレを使用する場合は、ペール缶（１）より収納物を取り出し、空になったペール缶（１）内に、便収納用ポリ袋（２）を拡げて、ペール缶（１）にしっかりと被せて、ポリ袋（２）の大部分が収めるとともに、ポリ袋（２）の開口上端部（２ａ）をペール缶（１）の開口上端巻縁部（３）に被せる。【００７７】
ついで、平面よりみて略Ｕ形の便座構成体（３０）をペール缶（１）の開口上端巻縁部（３）に、ポリ袋（２）の開口上端部（２ａ）の上から嵌め被せるが、最初は、略Ｕ形の便座構成体（３０）の下面３箇所に設けられた内側はずれ防止用凸部（３５）が、ペール缶（１）の開口上端巻縁部（３）より内方に若干離れるように、ルーズに嵌め被せた後、略Ｕ形の便座構成体（３０）の上に両手を置き、略Ｕ形の便座構成体（３０）を身体の方に引き寄せる。略Ｕ形の便座構成体（３０）の下面３箇所に設けられた内外はずれ防止用凸部（３５）（３６）のうち、内側はずれ防止用凸部（３５）の高さが、外側はずれ防止用凸部（３６）の高さよりも高いものとなされているので、略Ｕ形の便座構成体（３０）を身体の方に引き寄せると、高い方の内側はずれ防止用凸部（３５）がそれぞれ、ポリ袋（２）の開口上端部（２ａ）を介してペール缶（１）の開口上端巻縁部（３）に、これの内側から係り合わせられ、結果として、内外はずれ防止用凸部（３５）（３６）同士の間の嵌合用凹溝（３４）に、ポリ袋（２）の開口上端部（２ａ）を介してペール缶（１）の開口上端巻縁部（３）が部分的に嵌め入れられ、これによって、便収納用ポリ袋（２）の開口上端部（２ａ）は、ペール缶（１）の開口上端巻縁部（３）に便座構成体（３０）によって上から押え止められるとともに、略Ｕ形の便座構成体（３０）がペール缶（１）の開口上端巻縁部（３）にしっかりと固定され、セットが完了する。【００７８】
この状態で、利用者（Ｍ）は、セットされた簡易トイレの便座構成体（３０）の幅広の左側着座部（３１）および同右側着座部（３２）に着座して、用を足すことができる。【００７９】
上記の本発明の第２実施形態の簡易トイレでは、便座構成体（３０）の幅広の左側着座部（３１）および同右側着座部（３２）が、ペール缶（１）の開口上端巻縁部（３）に沿う平面よりみて円弧形をそれぞれ有しており、これらの左側着座部（３１）および同右側着座部（３２）の下面に、ペール缶（１）の開口上端巻縁部（３）に沿う底面よりみて円弧形の嵌合用凹溝（３４）が、左側着座部（３１）および同右側着座部（３２）のそれぞれ幅手方向の中心線より外側にずれた位置に設けられている。【００８０】
従って、簡易トイレの使用時に、便座構成体（３０）の幅広の左側着座部（３１）および同右側着座部（３２）に利用者（Ｍ）が着座した場合、便座構成体（３０）の幅広の左側着座部（３１）および同右側着座部（３２）が、いわゆる回転モーメントにより、ペール缶（１）の内側に入り込むように作用力がかゝるが、便座構成体（３０）の幅広の左側着座部（３１）および同右側着座部（３２）の各嵌合用凹溝（３４）の内側縁部および外側縁部にそれぞれ沿う下方突出状の内外はずれ防止用凸部（３５）（３６）のうち、内側はずれ防止用凸部（３５）の高さが、外側はずれ防止用凸部（３６）の高さよりも高いものとなされているため、上記の回転モーメントによる作用力が、高い方の内側はずれ防止用凸部（３５）によって充分にペール缶（１）内壁に受け止められ、従って、便座構成体（３０）の幅広の左側着座部（３１）および同右側着座部（３２）がペール缶（１）の内側に入り込むようなことが全くなく、利用者（Ｍ）は、心地好く便座構成体（３０）の幅広の左側着座部（３１）および同右側着座部（３２）に着座して、用を足すことができる。【００８１】
またとくに、本発明による簡易トイレでは、便座構成体（３０）の幅広の左側着座部（３１）および同右側着座部（３２）のペール缶内側の側縁部に、内方下向き凸部（３７）がそれぞれ設けられているため、尻の接触する幅広の左側着座部（３１）および同右側着座部（３２）部分が曲面を構成するため、より一層、座り心地が良い。【００８２】
さらに、これら便座構成体（３０）の幅広の左側着座部（３１）および同右側着座部（３２）のペール缶内側の側縁部に、内方下向き凸部（３７）がそれぞれ設けられることにより、簡易トイレの便座部すなわち便座構成体（３０）の幅広の左側着座部（３１）および同右側着座部（３２）の強度が向上する。【００８３】
用便後は、本発明による簡易トイレの便座構成体（３０）をペール缶（１）の開口上端巻縁部（３）から取り外し、ついで、便収納用ポリ袋（２）の開口先端部をまるめて閉じ、この部分を例えば紐で縛って密閉して、ペール缶（１）より取り出し、所定の場所に廃棄するか、持ち帰って廃棄すれば良い。【００８４】
なお、本発明による簡易トイレの便座構成体（３０）のペール缶外側の側縁部に、外方下向き凸部（３８）が便座構成体の全長にわたって設けられているから、用便後に、平面よりみて略Ｕ形の便座構成体（３０）をペール缶（１）の開口上端巻縁部（３）から取り外す際に、この外方下向き凸部（３８）に手の指を掛けて上方に持ち上げると、便座構成体（３０）を簡単に取り外すことができる。【００８５】
また、便座構成体のペール缶外側の側縁部に外方下向き凸部（３８）が設けられることにより、簡易トイレの便座部すなわち便座構成体（３０）の強度が向上する。【００８６】
なお、この第２実施形態の場合においても、便収納用ポリ袋（２）や便座構成体（３０）としては、生分解性樹脂によりつくられたものを使用するのが、好ましい。そうすることよって、便を収納したポリ袋（２）をそのまま土中に埋めることにより、これを肥料として利用することができる。【００８７】
また、例えば図５に示すように、本発明の簡易トイレの使用の際には、利用者（Ｍ）は目隠し用のカッパ（５）を着用するのが、好ましい。目隠し用のカッパ（５）としては、利用者（Ｍ）の身体全体と、簡易トイレ部分を一体に覆うものが好ましく、さらに、利用者（Ｍ）の顔が見えないように、フード（６）付きカッパ（５）を用いるのが好ましい。【００８８】
上記の本発明の第２実施形態の簡易トイレによれば、ペール缶（１）上に設置される便座部分すなわち便座構成体（３０）の構造が非常に小さく、このため、材料費を少なくして量産可能であり、便座部分すなわち便座構成体（３０）の製造コストが非常に安くついて、簡易トイレを安価に供給することができる。とくに、合成樹脂製の便座構成体（３０）が、ペール缶（１）の開口上端巻縁部（３）に沿う平面よりみて略Ｕ形を有しており、便座構成体（３０）の幅広の左側着座部（３１）および同右側着座部（３２）の同側の端部同士を連結する平面よりみてペール缶（１）の開口上端巻縁部（３）に沿う円弧形の連結部（３３）が、長手方向の中央部に至るほど漸次幅狭となされているから、該部分の使用材料が非常に少なくてすみ、このため、材料費を少なくして、便座部分すなわち便座構成体（３０）の製造コストが非常に安くついて、簡易トイレを安価に供給することができるものである。【００８９】
なお、上記の本発明の第２実施形態では、ペール缶（１）内にその大部分が収められた便収納用ポリ袋（２）の開口上端部（２ａ）がペール缶（１）の開口上端巻縁部（３）に被せられ、この便収納用ポリ袋（２）の開口上端部（２ａ）が便座構成体（３０）によって上から押え止められている場合について説明したが、本発明は、これに限定されるものではなく、その他、例えばペール缶（１）の開口上端巻縁部（３）に先に便座構成体（３０）を取り付けておき、その後、便収納用ポリ袋（２）を拡げて、その大部分をペール缶（１）内に収めるとともに、開かれた便収納用ポリ袋（２）の開口上端部（２ａ）をペール缶（１）の開口上端巻縁部（３）から上方に取り出して、このポリ袋（２）の開口上端部（２ａ）によって便座構成体（３０）を上から覆うようにしても良い。【００９０】
なお、この場合には、便収納用ポリ袋（２）の開口上端部（２ａ）の先端部を、例えば便座構成体（３０）の外側縁部より下方に折り返して、ピンチ等の固定具で仮止めしておくのが、好ましい。【００９１】
図１１〜図１５は、本発明による簡易トイレの第３実施形態を示すもので、請求項７〜請求項１１に対応している。この第３実施形態においては、合成樹脂製の便座構成体（３０）が、ペール缶（１）の開口上端巻縁部（３）に沿う平面よりみて略Ｕ形を有している点は、上記の第２実施形態の場合とほゞ同様であるが、上記第２実施形態の場合と異なる点は、合成樹脂製の便座構成体（３０）の裏面の補強リブ構造にある。【００９２】
同図に示すように、平面よりみて略Ｕ形の合成樹脂製便座構成体（３０）の裏面の幅中央部より若干外側にずれた位置に、長手方向の第１補強リブ（４１）が略Ｕ形便座構成体（３０）の略全長にわたって設けられている。【００９３】
本発明の簡易トイレを使用する場合、ポリ袋（２）の開口上端部（２ａ）をペール缶（１）の開口上端巻縁部（３）に被せた後、平面よりみて略Ｕ形の合成樹脂製便座構成体（３０）をペール缶（１）の開口上端巻縁部（３）に、ポリ袋（２）の開口上端部（２ａ）の上から嵌め被せると、便座構成体（３０）下面の長手方向の第１補強リブ（４１）が、ポリ袋（２）の開口上端部（２ａ）を介してペール缶（１）の開口上端巻縁部（３）の上に、第１補強リブ（４１）の全長にわたって載せられて、ポリ袋（２）の開口上端部（２ａ）が便座構成体（３０）によって上から押さえ止められる。【００９４】
そして、この第３実施形態においても、上記の第２実施形態の場合と同様に、平面よりみて略Ｕ形の便座構成体（３０）の下面３箇所に、すなわち、便座構成体（３０）の幅広の左側着座部（３１）および同右側着座部（３２）の下面、並びに幅狭の連結部（３３）の下面において、下方突出状の内外はずれ防止用凸部（３５）（３６）がそれぞれ設けられ、内外はずれ防止用凸部（３５）（３６）のうち、内側はずれ防止用凸部（３５）の高さが、外側はずれ防止用凸部（３６）の高さよりも高いものとなされている。【００９５】
略Ｕ形の便座構成体（３０）の下面３箇所において、相互に対向する内外はずれ防止用凸部（３５）（３６）同士の間に、上記の長手方向の第１補強リブ（４１）が位置せしめられており、便座構成体（３０）下面の長手方向の第１補強リブ（４１）が、ポリ袋（２）の開口上端部（２ａ）を介してペール缶（１）の開口上端巻縁部（３）の上に、第１補強リブ（４１）の全長にわたって載せられた際、これらの内外はずれ防止用凸部（３５）（３６）のはずれ防止作用によって、便座構成体（３０）がペール缶（１）の開口上端巻縁部（３）より脱落するのを、阻止するようになされている。【００９６】
そして、この第３実施形態では、略Ｕ形の便座構成体（３０）の下面３箇所に配置された内側はずれ防止用凸部（３５）と、略Ｕ形の便座構成体（３０）のペール缶内側の側縁部の内方下向き凸部（３７）との間に、それぞれ３本の幅手方向の補強第２リブ（４２）が設けられている。３本の幅手方向の補強第２リブ（４２）は、相互に隣り合うもの同士、若干テーパ状に配置されており、各幅手方向の補強第２リブ（４２）は、平面よりみて略Ｕ形の便座構成体（３０）を含む仮想円形の中心点に向かう方向に配置されている。【００９７】
また、略Ｕ形の便座構成体（３０）の下面３箇所に配置された外側はずれ防止用凸部（３６）と、略Ｕ形の便座構成体（３０）のペール缶外側の側縁部の外方下向き凸部（３８）との間には、それぞれ３本の幅手方向の補強第３リブ（４３）が設けられている。これら３本の幅手方向の補強第３リブ（４３）は、上記３本の幅手方向の補強第２リブ（４２）の延長線上に配置されている。【００９８】
さらに、略Ｕ形の便座構成体（３０）の下面３箇所に配置された内側はずれ防止用凸部（３５）と外側はずれ防止用凸部（３６）と間には、これら中間の長手方向第１補強リブ（４１）を横段するように、それぞれ３本の幅手方向の補強第４リブ（４４）が設けられている。これら３本の幅手方向の補強第４リブ（４４）は、上記３本の幅手方向の補強第２リブ（４２）の延長線上に配置されており、図１４に示すように、３本の幅手方向の補強第２リブ（４２）と、幅手方向の補強第４リブ（４４）と、幅手方向の補強第３リブ（４３）とによって、幅手方向の合計３本の直線状リブが形成されている。【００９９】
ここで、図１５からも分かるように、幅手方向の補強第２リブ（４２）が最も高く、例えば１５〜１０ｍｍの高さを有している。これに対し、幅手方向の補強第３リブ（４３）が中間の高さで、例えば１０〜５ｍｍの高さを有している。また、幅手方向の補強第４リブ（４４）が最も低く、例えば６ｍｍの高さを有している。【０１００】
なお、内側はずれ防止用凸部（３５）の高さは、例えば２３〜２７ｍｍと高く、外側はずれ防止用凸部（３６）の高さは、例えば１２〜８ｍｍと低く設定されている。【０１０１】
幅手方向の補強第２リブ（４２）は、内側はずれ防止用凸部（３５）との連結部分では、同凸部（３５）の略３分の２の高さを有し、その内端部は、便座構成体（３０）の内方下向き凸部（３７）に下面より結合されている。【０１０２】
幅手方向の補強第３リブ（４３）、外側はずれ防止用凸部（３５）との連結部分では、同凸部（３５）と同じ高さを有し、その外端部は、便座構成体（３０）の外方下向き凸部（３８）に下面より結合されている。【０１０３】
内側はずれ防止用凸部（３５）と外側はずれ防止用凸部（３６）と間の幅手方向の補強第４リブ（４４）は、長手方向第１補強リブ（４１）を横段するようにかつ長手方向第１補強リブ（４１）と同じ高さを有している。【０１０４】
平面よりみて略Ｕ形の便座構成体（３０）の下面３箇所において設けられている内外はずれ防止用凸部（３５）（３６）の組み同士の間の長手方向中間位置には、それぞれ３本の幅手方向の第５補強リブ（４５）が、所定間隔おきに設けられ、これらの第５補強リブ（４５）は、長手方向第１補強リブ（４１）を横段するようにかつ長手方向第１補強リブ（４１）と同じ高さを有している。【０１０５】
上記の内外はずれ防止用凸部（３５）（３６）や第１補強リブ（４１）〜第５補強リブ（４５）の高さは単なる例示であって、もちろん、これに限定されるものではない。【０１０６】
また、図１１に示すように、平面よりみて略Ｕ形の合成樹脂製便座構成体（３０）の裏面の幅中央部より若干外側にずれた位置に略Ｕ形便座構成体（３０）の略全長にわたって設けられている長手方向の第１補強リブ（４１）は、その両端部（４１ａ）（４１ａ）が、略Ｕ形便座構成体（３０）の両端寄り部分で漸次高さが低いものとなされていて、その延長線上に切欠き部（４０）（４０）がそれぞれ設けられている。【０１０７】
そして、本発明の第３実施形態の簡易トイレを使用する場合は、ペール缶（１）より収納物を取り出し、空になったペール缶（１）内に、便収納用ポリ袋（２）を拡げて、ペール缶（１）にしっかりと被せて、ポリ袋（２）の大部分が収めるとともに、ポリ袋（２）の開口上端部（２ａ）をペール缶（１）の開口上端巻縁部（３）に被せる。【０１０８】
ついで、平面よりみて略Ｕ形の便座構成体（３０）をペール缶（１）の開口上端巻縁部（３）に、ポリ袋（２）の開口上端部（２ａ）の上から嵌め被せるが、最初は、略Ｕ形の便座構成体（３０）の下面３箇所に設けられた内側はずれ防止用凸部（３５）が、ペール缶（１）の開口上端巻縁部（３）より内方に若干離れるように、ルーズに嵌め被せた後、略Ｕ形の便座構成体（３０）の上に両手を置き、略Ｕ形の便座構成体（３０）を身体の方に引き寄せる。略Ｕ形の便座構成体（３０）の下面３箇所に設けられた内外はずれ防止用凸部（３５）（３６）のうち、内側はずれ防止用凸部（３５）の高さが、外側はずれ防止用凸部（３６）の高さよりも高いものとなされているので、略Ｕ形の便座構成体（３０）を身体の方に引き寄せると、高い方の内側はずれ防止用凸部（３５）がそれぞれ、ポリ袋（２）の開口上端部（２ａ）を介してペール缶（１）の開口上端巻縁部（３）に、これの内側から係り合わせられ、結果として、便座構成体（３０）の切欠き部（４０）（４０）に、ペール缶（１）の開口上端巻縁部（３）が嵌まり込み、続いて、便座構成体（３０）下面の長手方向の第１補強リブ（４１）が、ポリ袋（２）の開口上端部（２ａ）を介してペール缶（１）の開口上端巻縁部（３）の上に、第１補強リブ（４１）の全長にわたって載せられ、これによって、便収納用ポリ袋（２）の開口上端部（２ａ）は、ペール缶（１）の開口上端巻縁部（３）に便座構成体（３０）下面の長手方向の第１補強リブ（４１）によって上からしっかりと押え止められるとともに、略Ｕ形の便座構成体（３０）がペール缶（１）の開口上端巻縁部（３）にしっかりと固定され、セットが完了する。【０１０９】
この状態で、利用者（Ｍ）は、セットされた簡易トイレの便座構成体（３０）の幅広の左側着座部（３１）および同右側着座部（３２）に着座して、用を足すことができる。【０１１０】
この第３実施形態のその他の点は、上記第２実施形態の場合と同様であるので、図面において同一のものには同一の符号を付した。【０１１１】
図１６〜図２１は、本発明による簡易トイレの第４実施形態を示すもので、請求項３〜請求項５に対応している。ここで、上記第１実施形態の場合と異なる点は、合成樹脂製の便座構成用左半体（１１）および同右半体（２１）が、ペール缶（１）の開口上端巻縁部（３）に沿う平面よりみて略半円形をそれぞれ有している点にある。【０１１２】
すなわち、互いに分離した便座構成用左半体（１１）の着座部（１２）および同右半体（２１）の着座部（２２）が、それぞれ幅広となされるとともに、ペール缶（１）の開口上縁部（３）に沿う平面よりみて円弧形を有し、便座構成用左半体（１１）および同右半体（２１）の幅広の着座部（１２）（２２）のそれぞれ前後両端部に、先端に至るほど漸次幅狭となる前後延長部（１８）（１９）（２８）（２９）が設けられていて、便座構成用左半体（１１）および同右半体（２１）が、ペール缶（１）の開口上縁部（３）に沿う平面よりみて略半円形となされており、全体的には、便座構成用左半体（１１）と同右半体（２１）とで平面よりみて円形となされ、ペール缶（１）の開口上端巻縁部（３）の略全周に沿うものとなっている。【０１１３】
また、便座構成用左半体（１１）および同右半体（２１）の下面に、ペール缶（１）の開口上縁部（３）に沿う底面よりみて略半円形の嵌合用凹溝（１３）（２３）が、便座構成用左半体（１１）および同右半体（２１）の全長にわたって設けられ、これらの嵌合用凹溝（１３）（２３）が、便座構成用左半体（１１）および同右半体（２１）の幅広の着座部（１２）（２２）の下面において、便座構成用左半体（１１）および同右半体（２１）のそれぞれ幅手方向の中心線より外側にずれた位置に設けられるとともに、同嵌合用凹溝（１３）（２３）が、幅狭の前後延長部（１８）（１９）（２８）（２９）の下面において、それぞれ前後延長部（１８）（１９）（２８）（２９）の幅手方向の略中心線上の位置に設けられている。【０１１４】
そして、便座構成用左半体（１１）および同右半体（２１）の下面に、各嵌合用凹溝（１３）（２３）の内側縁部および外側縁部にそれぞれ沿う下方突出状の内外はずれ防止用凸部（１４）（１５）（２４）（２５）が便座構成用左半体（１１）および同右半体（２１）の全長にわたって設けられ、内外はずれ防止用凸部（１４）（１５）（２４）（２５）のうち、内側はずれ防止用凸部（１４）（２４）の高さが、外側はずれ防止用凸部（１５）（２５）の高さよりも高いものとなされている。【０１１５】
便座構成用左半体（１１）および同右半体（２１）の全長のうち少なくとも幅広の着座部（１２）（２２）のペール缶内側の側縁部に、内方下向き凸部（１６）（２６）がそれぞれ設けられ、便座構成用左半体（１１）および同右半体（２１）のペール缶外側の側縁部に外方下向き凸部（１７）（２７）が、それぞれ便座構成用左半体（１１）および同右半体（２１）の全長にわたって設けられている。【０１１６】
なお、図１６と図１７に示すように、便座構成用左半体（１１）および同右半体（２１）の先端に至るほど漸次幅狭となる前後延長部（１８）（１９）（２８）（２９）では、これらのペール缶外側の側縁部に外方下向き凸部（１５）（２５）が設けられているが、これら前後延長部（１８）（１９）（２８）（２９）のとくに先端部分には、ペール缶内側の側縁部に内方下向き凸部（１６）（２６）が設けられていない。これは、便座構成用左半体（１１）および同右半体（２１）において、これらの前後延長部（１８）（１９）（２８）（２９）には、利用者（Ｍ）が着座しないため、このような内方下向き凸部（１６）（２６）を設ける必要がないからである。従って、内方下向き凸部（１６）（２６）は、便座構成用左半体（１１）および同右半体（２１）の全長のうち少なくとも幅広の着座部（１２）（２２）のペール缶内側の側縁部に、それぞれ設けられておれば、良い。【０１１７】
この第４実施形態においても、ペール缶（１）内にその大部分が収められた便収納用ポリ袋（２）の開口上端部（２ａ）がペール缶（１）の開口上端巻縁部（３）に被せられ、この便収納用ポリ袋（２）の開口上端部（２ａ）が便座構成用左半体（１１）および同右半体（２１）、より詳しくは、便座構成用左半体（１１）および同右半体（２１）の幅広の着座部（１２）（２２）、並びにこれらの幅狭の前後延長部（１８）（１９）（２８）（２９）によって上から押え止められている。【０１１８】
なお、この第４実施形態の本発明の簡易トイレを不使用時に携帯する場合には、便器本体を構成するペール缶（１）の中に、取り外した平面よりみて略半円形の便座構成用左半体（１１）および同右半体（２１）、折り畳んだ複数枚の便収納用ポリ袋（２）、所要数個のトイレットペーパー等を入れておき、ペール缶蓋（図示略）を被せ止めて、密閉しておく点は、上記第１実施形態の場合と同様である。【０１１９】
そして、本発明の簡易トイレを使用する場合は、ペール缶（１）より収納物を取り出し、空になったペール缶（１）内に、便収納用ポリ袋（２）を拡げて、その大部分が収めるとともに、ポリ袋の開口上端部（２ａ）をペール缶（１）の開口上端巻縁部（３）に被せる。【０１２０】
ついで、平面よりみて略半円形の便座構成用左半体（１１）および同右半体（２１）をペール缶（１）の開口上端巻縁部（３）に、ポリ袋（２）の開口上端部（２ａ）の上から嵌め被せて、便座構成用左半体（１１）および同右半体（２１）の下面の嵌合用凹溝（１３）（２３）に、ポリ袋（２）の開口上端部（２ａ）およびペール缶（１）の開口上端巻縁部（３）を嵌め入れる。【０１２１】
これにより、便収納用ポリ袋（２）の開口上端部（２ａ）は、ペール缶（１）の開口上端巻縁部（３）に便座構成用左半体（１１）および同右半体（２１）によって上から押え止められ、セットが完了する。【０１２２】
この状態で、例えば図５に示すように、利用者（Ｍ）は、セットされた簡易トイレの便座構成用左半体（１１）および同右半体（２１）の幅広の着座部（１２）（２２）に着座して、用を足すことができる。【０１２３】
用便後の簡易トイレの仕舞い方法、および便が入った便収納用ポリ袋（２）の廃棄方法は、上記第１実施形態の場合と同様である。【０１２４】
なお、この第４実施形態の場合においても、例えば図５に示すように、本発明の簡易トイレの使用の際には、利用者（Ｍ）は目隠し用のカッパ（５）を着用するのが、好ましい。目隠し用のカッパ（５）としては、利用者（Ｍ）の身体全体と、簡易トイレ部分を一体に覆うものが好ましく、さらに、利用者（Ｍ）の顔が見えないように、フード（６）付きカッパ（５）を用いるのが好ましい。【０１２５】
本発明による上記第４実施形態の簡易トイレでは、便座構成用左半体（１１）および同右半体（２１）の下面に、ペール缶（１）の開口上縁部（３）に沿う底面よりみて略半円形の嵌合用凹溝（１３）（２３）が、便座構成用左半体（１１）および同右半体（２１）の全長にわたって設けられ、これらの嵌合用凹溝（１３）（２３）が、便座構成用左半体（１１）および同右半体（２１）の幅広の着座部（１２）（２２）の下面において、便座構成用左半体（１１）および同右半体（２１）のそれぞれ幅手方向の中心線より外側にずれた位置に設けている。【０１２６】
従って、簡易トイレの使用時に、便座構成用左半体（１１）および同右半体（２１）の幅広の着座部（１２）（２２）に利用者（Ｍ）が着座した場合、便座構成用左半体（１１）および同右半体（２１）の着座部（１２）（２２）が、いわゆる回転モーメントにより、ペール缶（１）の内側に入り込むように作用力がかゝるが、便座構成用左半体（１１）および同右半体（２１）の着座部（１２）（２２）下面の各嵌合用凹溝（１３）（２３）の内側縁部および外側縁部にそれぞれ沿う下方突出状の内外はずれ防止用凸部（１４）（１５）（２４）（２５）のうち、内側はずれ防止用凸部（１４）（２４）の高さが、外側はずれ防止用凸部（１５）（２５）の高さよりも高いものとなされているため、上記の回転モーメントによる作用力が、高い方の内側はずれ防止用凸部（１４）（２４）によって充分にペール缶（１）内壁に受け止められ、従って、便座構成用左半体（１１）および同右半体（２１）の幅広の着座部（１２）（２２）がペール缶（１）の内側に入り込むようなことが全くなく、利用者（Ｍ）は、心地好く便座構成用左半体（１１）および同右半体（２１）の幅広の着座部（１２）（２２）に着座して、用を足すことができる。【０１２７】
また、本発明による簡易トイレの便座すなわち便座構成用左半体（１１）および同右半体（２１）の形状は、全体形状において通常の便座の形状と異なるが、尻の接触する部分はほとんど同じ形状であるので、便座としては、通常の便座と使用性能は変わらない。とくに、本発明による簡易トイレでは、便座構成用左半体（１１）および同右半体（２１）の幅広の着座部（１２）（２２）のペール缶内側の側縁部に、内方下向き凸部（１６）（２６）がそれぞれ設けられているため、尻の接触する幅広の着座部（１２）（２２）部分が曲面を構成するため、より一層、座り心地が良い。【０１２８】
さらに、これら便座構成用左半体（１１）および同右半体（２１）の全長のうち少なくとも幅広の着座部（１２）（２２）のペール缶内側の側縁部に、内方下向き凸部（１６）（２６）がそれぞれ設けられることにより、簡易トイレの便座部すなわち便座構成用左半体（１１）および同右半体（２１）の強度が向上する。【０１２９】
なお、本発明による簡易トイレの便座構成用左半体（１１）および同右半体（２１）のペール缶外側の側縁部に外方下向き凸部（１７）（２７）が、それぞれ便座構成用左半体（１１）および同右半体（２１）の全長にわたって設けられているから、用便後に、便座構成用左半体（１１）および同右半体（２１）をペール缶（１）の開口上端巻縁部（３）から取り外す際に、これらの外方下向き凸部（１７）（２７）に手の指を掛けて上方に持ち上げると、便座構成用左半体（１１）および同右半体（２１）を簡単に取り外すことができる。【０１３０】
また、これら便座構成用左半体（１１）および同右半体（２１）のペール缶外側の側縁部に外方下向き凸部（１７）（２７）が、それぞれ便座構成用左半体（１１）および同右半体（２１）の全長にわたって設けられることにより、簡易トイレの便座部すなわち便座構成用左半体（１１）および同右半体（２１）の強度が向上する。【０１３１】
本発明による第４実施形態の簡易トイレによれば、ペール缶（１）上に設置される便座部分すなわち便座構成用左半体（１１）および同右半体（２１）の構造が非常に小さく、このため、材料費を少なくして量産可能であり、便座部分すなわち便座構成用左半体（１１）および同右半体（２１）の製造コストが非常に安くついて、簡易トイレを安価に供給することができるうえに、不使用時に便座部分、すなわち略半円形の便座構成用左半体（１１）および同右半体（２１）をペール缶内に収納することができて、携帯に非常に便利である。【０１３２】
また、ペール缶（１）上に設置される便座部分すなわち便座構成用左半体（１１）および同右半体（２１）は、左右対称の形状・構造を有しているため、１つの金型により成形して製作した２つの便座構成体のうちの一方の便座構成体を、そのまま便座構成用左半体（１１）として使用し、他方の便座構成体を、その前後の向きを反対とすることにより、便座構成用右半体（２１）として使用することができるから、便座構成体の製作用金型が１つだけですみ、金型の製作コストが非常に安くついて、簡易トイレの製造コストを大幅に低減し得るという利点がある。【０１３３】
なお、上記の本発明の第４実施形態では、簡易トイレのペール缶（１）内にその大部分が収められた便収納用ポリ袋（２）の開口上端部（２ａ）がペール缶（１）の開口上端巻縁部（３）に被せられ、この便収納用ポリ袋（２）の開口上端部（２ａ）が便座構成用左半体（１１）および同右半体（２１）によって上から押え止められている場合について説明したが、本発明は、これに限定されるものではなく、その他、例えばペール缶（１）の開口上端巻縁部（３）に先に便座構成用左半体（１１）および同右半体（２１）をそれぞれ取り付けておき、その後、便収納用ポリ袋（２）を拡げて、その大部分をペール缶（１）内に収めるとともに、開かれた便収納用ポリ袋（２）の開口上端部（２ａ）をペール缶（１）の開口上端巻縁部（３）から上方に取り出して、このポリ袋（２）の開口上端部（２ａ）によって便座構成用左半体（１１）および同右半体（２１）を上から覆うようにしても良い。【０１３４】
なお、この場合には、便収納用ポリ袋（２）の開口上端部（２ａ）の先端部を、例えば便座構成用左半体（１１）および同右半体（２１）の外側縁部より下方に折り返して、ピンチ等の固定具で仮止めしておくのが、好ましい。【０１３５】
なお、この第４実施形態の場合においても、便収納用ポリ袋（２）や便座構成用左半体（１１）および同右半体（２１）としては、生分解性樹脂によりつくられたものを使用するのが、好ましい。そうすることよって、便を収納したポリ袋（２）をそのまま土中に埋めることにより、これを肥料として利用することができる。【０１３６】
なお、上記の本発明の第１〜第４実施形態では、簡易トイレの便器本体がステンレス鋼製のペール缶（１）によって構成されている場合について説明したが、本発明の簡易トイレの便器本体は、その他、樹脂製のペール缶（１）、ステンレス鋼製または樹脂製のオープン缶であっても良い。【０１３７】
また、本発明の簡易トイレを大量に保管する場合は、ペール缶（１）よりなる便器本体を重ねて積むことができるので、省スペースになり、非常に便利である。【０１３８】
本発明による簡易トイレは、具体的には、例えば、つぎのような時に使用することができる。本発明による簡易トイレは、例えば、車１台に少なくとも１個を備えておくのが、好ましい。【０１３９】
１．ドライブのとき
すなわち、個人・家族のドライブ、タクシーや長距離トラック等の車でのドライブにおいて、とくに女性、お年寄り、子供などが、車内で、あるいは車外で、本発明の簡易トイレを利用することができる。なお、車外で、本発明の簡易トイレを利用する場合は、目隠し用カッパを着用するのが、好ましい。【０１４０】
また、業務用の観光バスの多くは、トイレを設置していないバスがほとんどであるが、これらのバスにも、本発明による簡易トイレを、例えば車１台に少なくとも１個備えておくことにより、観光地、とくに山中など常設トイレの無い地帯を走行する際、乗客の緊急の用便にも対応することができて、非常に便利である。【０１４１】
２．キャンプのとき
すなわち、キャンプにおいて、誰でもが、テント内で、あるいはテント外で、本発明の簡易トイレを利用することができる。なお、テント外で、本発明の簡易トイレを利用する場合は、目隠し用カッパを着用するのが、好ましい。【０１４２】
３．ハイキングのとき
すなわち、バーベキューやお花見等のハイキングにおいて、誰でもが戸外で、本発明の簡易トイレを利用することができ、この場合、目隠し用カッパを着用するのが、好ましい。【０１４３】
４．釣りなどのとき
すなわち、小型船舶を利用した舟釣り、あるいはその他、丘釣り、池釣り、川釣りなどの際に、誰でもが、舟内で、あるいはまた舟外や戸外で、本発明の簡易トイレを利用することができ、例えば舟外や戸外で、本発明の簡易トイレを利用する場合は、目隠し用カッパを着用するのが、好ましい。【０１４４】
本発明による簡易トイレを、例えば釣りに携行した場合に、本来のトイレとして使用しないときは、椅子の代用とすることができ、また釣り上げた魚入れとして使用することができ、あるいはまた水入れとして使用することができて、非常に便利である。【０１４５】
５．土木建築現場において
すなわち、比較的規模の小さい土木建築現場において、特設のトイレを持ち込んで設置できないときに、作業者が戸外で、本発明の簡易トイレを利用することができ、この場合、目隠し用カッパを着用するのが、好ましい。【０１４６】
６．常設トイレの無い場所において
すなわち、その他の場所で、常設トイレの無い場所において、車１台に少なくとも１個の本発明による簡易トイレを備えておくことにより、誰でもが、何時でも簡易トイレを利用して、用を足すことができ、緊急時に非常に便利である。【０１４７】
７．地震等の災害発生時に
すなわち、地震等の災害発生時のような非常時に、災害時用の特設トイレとして、本発明の簡易トイレを利用することができ、例えば一戸に少なくとも１個の本発明による簡易トイレを備えておくことにより、被災者は本発明の簡易トイレを利用して、用を足すことができ、緊急時においても生活を維持することができる。【０１４８】
９．本発明による簡易トイレは、その他、健康診断等の際の検便用として、屋内においても使用することができる。
【図１】
2007097389.tif 000003
【図２】
2007097389.tif 000004
【図３】
2007097389.tif 000005
【図４】
2007097389.tif 000006
【図５】
2007097389.tif 000007
【図６】
2007097389.tif 000008
【図７】
2007097389.tif 000009
【図８】
2007097389.tif 000010
【図９】
2007097389.tif 000011
【図１０】
2007097389.tif 000012
【図１１】
2007097389.tif 000013
【図１２】
2007097389.tif 000014
【図１３】
2007097389.tif 000015
【図１４】
2007097389.tif 000016
【図１５】
2007097389.tif 000017
【図１６】
2007097389.tif 000018
【図１７】
2007097389.tif 000019
【図１８】
2007097389.tif 000020
【図１９】
2007097389.tif 000021
【図２０】
2007097389.tif 000022
【図２１】
2007097389.tif 000023
【国際調査報告】
2007097389.tif 000024
2007097389.tif 000025
2007097389.tif 000026
2007097389.tif 000027